(57)【要約】【課題】ランプ光軸方向に発光光度の偏りがあるセラミックス製放電バルブを用いても好適な配光特性を得ることが可能な車両用灯具を提供する。【解決手段】セラミックス製放電バルブ１の光源と、第１焦点を光源に位置決めし、光源１から出射した光を反射して第２焦点に集光して車両の前方に向けて照射するリフレクタ２を備える車両用灯具であって、光源１１はランプ光軸Ｌｘ方向に発光光度の偏りがあり、リフレクタ２はランプ光軸を共通軸とする上部リフレクタ２１と下部リフレクタ２２とに分割形成され、下部リフレクタ２２を複数の領域２２ｓ，２２ｃ，２２ｍに区分し、各領域の第１焦点を光源１１の異なる光度となるランプ光軸方向の異なる位置Ｆ１ｆ，Ｆ１ｒに設定する。【選択図】  図５
2011040252.tif 000002
【特許請求の範囲】
【請求項１】
ランプ光軸方向に発光光度の偏りがある光源と、前記光源に対して焦点を位置決めし、当該光源から出射した光を反射してランプの前方に向けて照射するリフレクタを備える車両用灯具であって、前記リフレクタは複数の領域に区分され、各領域の焦点をランプ光軸方向の異なる位置に設定していることを特徴とする車両用灯具。
【請求項２】
前記リフレクタはランプ光軸に沿ってランプ光軸を共通軸とする上部リフレクタと下部リフレクタに分割形成され、前記下部リフレクタを複数の領域に区分していることを特徴とする請求項１に記載の車両用灯具。
【請求項３】
前記光源の発光領域はランプ光軸方向の後端部が最高光度であり、前端部はそれよりも低光度であることを特徴とする請求項１または２に記載の車両用灯具。
【請求項４】
下部リフレクタは左右の両側にそれぞれ配置される両側領域と、ランプ光軸の直下に配置される中央領域と、前記両側領域と中央領域との間を緩やかな曲面で連続させる中間領域とに区分され、前記両側領域の焦点を発光領域の後端部に位置決めし、前記中央領域の焦点を発光領域の前端部に位置決めし、前記中間領域の焦点を発光領域の前端部と後端部の間に位置決めしたことを特徴とする請求項３に記載の車両用灯具。
【請求項５】
前記光源はセラミックス製放電チューブを有する放電バルブであることを特徴とする請求項１ないし４のいずれかに記載の車両用灯具。
【発明の詳細な説明】
【技術分野】
【０００１】
本発明は高輝度点が光源中心に存在せずランプ光軸方向に光度の偏りがある光源を用いた車両用灯具に関し、特に光源から出射した光を照射するための反射鏡（リフレクタ）を備える車両用灯具に関するものである。
【背景技術】
【０００２】
自動車用灯具として光源に放電バルブを用いたヘッドランプが提供されている。この放電バルブはガラス製の放電チューブ内に電極を封止した構成のものが一般的であるが、耐久性に問題があるため近年ではセラミックス製の放電チューブを用いたものが提案されている。このセラミックス製の放電チューブを用いた放電バルブとしては、例えば特許文献１に記載のものは、直円筒型のセラミックス製チューブの両端に一対の電極を内挿し、チューブと電極との間を封止し、内部に放電用ガスを封入した構成である。このような放電バルブを用いることで耐久性の高いヘッドランプが構成できるようになる。
【０００３】
また、このような放電バルブを光源とするヘッドランプでは、発光した放電バルブから出射される光を自動車の前方に照射するためのリフレクタが設けられているが、放電バルブの発光点は点光源ではなくランプ光軸方向に幅を有する光源であるため、所望の配光特性を得るためにリフレクタに種々の対策を施すことが要求されている。例えば、特許文献２はランプ光軸方向に長さを有するフィラメントで発光する白熱バルブを光源とするヘッドランプであるが、光源に焦点を位置させる楕円面形状のリフレクタを上部リフレクタと下部リフレクタに分割し、上部リフレクタの焦点を光源の前方端位置に設定し、下部リフレクタの焦点を光源の後方端位置に設定することで、各リフレクタにおいて反射される光による配光特性を相違させ、これら配光特性を重合させることで好適な配光を得ている。したがって、この特許文献２の技術を放電バルブを光源とするヘッドランプに適用することが考えられる。
【先行技術文献】
【特許文献】
【０００４】
【特許文献１】特開２００４−２２０８６７号公報
【特許文献２】特開昭６２−２１１８０１号公報
【発明の概要】
【発明が解決しようとする課題】
【０００５】
特許文献１の放電バルブは、直円筒型をしたセラミックス製チューブの両端に電極を内挿した後、チューブの開口部と電極との間を封止する構成であるため、構成が複雑でかつ製造が煩雑なものとなり、コスト高の一つの要因になる。そのため、近年では後述するように円筒容器型をした一対のセラミックス製チューブを互いに衝き合わせて両者を接着、溶着等によって一体的に接合した構成のものが提案されている。この放電バルブでは、先に一対のセラミックス製チューブに電極を固定支持させておき、その上でこれら一対のチューブを衝き合わせて接合するだけで構成できるので、構造が簡易であるとともに製造が容易であり、低コストに製造できるという利点がある。
【０００６】
しかし、この放電バルブは一対のチューブを衝き合わせたときに生じる接合部において放電発光した光が放電バルブの外部に出射される際に遮光ないし減光され、後述するようにランプ光軸方向に沿って均一な光量での光出射が得られない。特に、接合部が存在する放電バルブのランプ光軸方向の中央領域での出射光量が低下される。そのため、このようにランプ光軸に沿って光度の偏りがある新たな放電バルブを従来のように光源の中央部に焦点を位置決めしたリフレクタを備えたランプに適用したときには、光源から出射される最高光度の光を配光に有効利用することができなくなり、所望の配光特性を得ることが難しい。特に、この種の光度に偏りのあるセラミック製放電バルブを特許文献２のヘッドランプの光源として適用しても、放電バルブの各部から出射される光の光度が相違しているため、上部リフレクタと下部リフレクタのそれぞれにおいて好適な配光が得られなくなり、特許文献２から得られるような顕著な作用効果を得ることが難しい。
【０００７】
本発明の目的は、前述したセラミックス製の放電バルブのように、ランプ光軸方向に出射光の光度が均一ではなく光度の偏りがある光源、特にランプ光軸方向の中央部に出射光量の低下が見られる光源を用いても好適な配光特性を得ることが可能な車両用灯具を提供するものである。
【課題を解決するための手段】
【０００８】
本発明は、ランプ光軸方向に発光光度の偏りがある光源と、この光源に対して焦点を位置決めし、光源から出射した光を反射してランプの前方に向けて照射するリフレクタを備える車両用灯具であって、リフレクタは複数の領域に区分され、各領域の焦点をランプ光軸方向の異なる位置に設定していることを特徴とする。例えば、ランプ光軸を共通軸とする上部リフレクタと下部リフレクタとに分割形成され、下部リフレクタを複数の領域に区分し、各領域の焦点をランプ光軸方向の異なる位置に設定する。
【０００９】
本発明にかかる光源は、例えば、発光領域はランプ光軸方向の後端部が最高光度であり、前端部はそれよりも低光度の構成である。この場合、下部リフレクタは左右の両側にそれぞれ配置される両側領域と、ランプ光軸の直下に配置される中央領域と、両側領域と中央領域との間を緩やかな曲面で連続させる中間領域とに区分され、両側領域の焦点を発光領域の後端部に位置決めし、中央領域の焦点を発光領域の前端部に位置決めし、中間領域の焦点を発光領域の前端部と後端部の間に位置決めする。また、本発明にかかる光源は、例えば、セラミックス製放電チューブを有する放電バルブである場合に有効となる。
【発明の効果】
【００１０】
本発明によれば、リフレクタに区分した複数の領域の各焦点を光源の異なる光度部位に対応させて位置決めすることで、領域ごとに配光を制御してそれぞれ好適な配光を得ることが可能になる。そして、各領域の配光を重合させることによりさらに好適な配光特性を得ることができる。例えば、光源の最高光度を利用して所要の配光領域での明るい照明を行う一方で、光源の全発光光量を利用した広い配光領域での明るい照明を行い、これらを重合することで全体として好適な配光特性を得ることができる。
【００１１】
特に本発明では、ランプ光軸方向の後端部に最高光度を有してランプ光軸方向に光度の偏りがあるセラミックス製の放電バルブに適用し、下部リフレクタを中央領域、両側領域、中間領域に区分することで、自車の遠前方領域を高光度で照明し、自車線や他車線の近前方領域をそれよりも低い光度で照明し、自車の直前領域をさらに低い光度で照明する配光が得られ、自動車の走行に最適な配光を得ることができる。
【図面の簡単な説明】
【００１２】
【図１】実施形態１のヘッドランプの縦断面図。
【図２】セラミックス製放電バルブの構成と光度分布を示す図。
【図３】リフレクタの分解斜視図。
【図４】リフレクタの概略正面図とランプ光軸に沿った縦断面図。
【図５】リフレクタにおける光の反射光路図。
【図６】上部リフレクタと下部リフレクタとヘッドランプ全体の配光図。
【図７】下部リフレクタの各領域の配光図。
【図８】従来の下部リフレクタによる配光図。
【発明を実施するための形態】
【００１３】
（実施形態１）
次に、本発明の実施の形態について図面を参照して説明する。図１は本発明を自動車のヘッドランプ、特にハイビーム配光の照明を行うプロジェクタ型のヘッドランプに適用した実施形態１の縦断面図である。このヘッドランプＨＬは、光源としての放電バルブ１と、この放電バルブ１から出射した光を反射して一旦集光するリフレクタ２と、リフレクタ２で反射されかつ集光された光を平行ないし若干集光させながら自動車の前方に照射するためのレンズ３を備えている。前記リフレクタ２の前縁部にはランプ光軸Ｌｘ方向に向けて所用寸法の円筒状をしたスペーサ４が一体的に連結されており、前記レンズ３はこのスペーサ４によって支持されている。
【００１４】
前記放電バルブ１は、図１に概略図示するように、円筒状をした紫外線遮光用のシュラウドチューブ１０内に放電チューブ１１が内挿された構成であり、この放電チューブ１１は、図２（ａ）に示すように両端を球面状に閉じたカプセル状をしており、放電チューブ１１の前後の各端部から一対の電極１２ｆ，１２ｒが内挿されるとともに、封止された放電チューブ１１の内部には所用の放電ガスが封入されたものである。この放電チューブ１１は、図２（ｂ）のように、底面を球面状とした円筒容器状の一対の透明なセラミックス製の分割チューブ１１ａを組み立てて構成したものであり、これらの分割チューブ１１ａにはそれぞれの底面において前記電極１２ｆ，１２ｒが筒軸方向に貫通され、これら一対の分割チューブ１１ａの開口部を互いに筒軸方向に衝接させたうえで両者を接着あるいは溶着等によって接合することによって前記放電チューブ１１を形成している。これにより放電チューブ１１には長さ方向のほぼ中央に接着剤あるいは溶剤からなる接合部１１ｂが形成されることになる。この放電チューブ１１は前記したようにシュラウドチューブ１０内に内挿された上で絶縁性ベース１３に組み立てられる。すなわち、図１に示したようにランプ光軸Ｌｘ方向の後端側の電極１２ｒが絶縁性ベース１３の前面に立設状態に固定支持される。また、前記絶縁性ベース１３にはリードサポート１４が立設されており、このリードサポート１４の先端に放電チューブ１１の前端側の電極１２ｆが機械的、かつ電気的に接続され、これにより放電バルブ１が構成されている。
【００１５】
この放電バルブ１は両電極１２ｆ，１２ｒに所定の電力を印可して両電極間の放電領域Ｓにおいて放電発光させると、発光した光は放電チューブ１１及びシュラウドチューブ１０を通して外部に出射される。従来の放電バルブにおいては、出射された光の光度分布は電極１２ｆ，１２ｒ間の放電領域Ｓにわたってほぼ均一となるが、この放電バルブ１１では放電チューブ１１の長さ方向の中央に分割チューブ１１ａを接合した接合部１１ｂが存在しているので、出射した光の一部が接合部１１ｂにおいて吸収あるいは拡散されてしまい、その結果、図２（ｃ）のように放電領域Ｓの長さ方向の中央部の光量が両端部よりも低下した光度分布となる。また、ここでは両電極１２ｆ，１２ｒに印可する高周波電力の極性の影響を受けて、放電領域Ｓの後端部の光度は前端部の光度よりも若干光度が高くなり、結果として放電バルブ１の長さ方向、すなわちランプ光軸Ｌｘに沿った方向に光度の偏りが生じる。
【００１６】
前記リフレクタ２は基本的には前記放電バルブ１の発光領域Ｓを第１焦点とし、前記レンズ３の後側焦点のほぼ近傍位置Ｆ２を第２焦点とする回転楕円面をした反射鏡として構成されている。なお、この実施形態１では上下方向の断面形状は楕円形をしているが、正面から見たときには若干上下に偏平化された楕円形状としている。また、リフレクタ２の背面に円形のバルブ支持口２０が構成されており、このバルブ支持口２０に前記放電バルブ１の絶縁性ベース１３が挿入支持される。その上で、図３に分解斜視図を示すように、前記リフレクタ２はランプ光軸Ｌｘ、すなわち前記放電バルブ１が配置されている直線を共通軸とし、この共通軸を境にして上下に１／２に分割し、ランプ光軸Ｌｘよりも上側の上部リフレクタ２１と、同じく下側の下部リフレクタ２２とで分割構成されている。ここで、分割とは物理的に別のリフレクタとして構成されることに限定されるものではなく、物理的に一体でも光を反射する機能から見て異なる特性の反射鏡として分割ないし区分されることを示している。
【００１７】
図４（ａ）は前記リフレクタを正面から見た概略正面図、図４（ｂ）はそのＢ−Ｂ線断面図である。前記上部リフレクタ２１は、全面にわたって前記したように第１焦点と第２焦点を有する単一の回転楕円面からなる反射面で構成されており、第１焦点を前記放電バルブ１の発光領域の後端部Ｆ１ｒに一致するように位置決めされている。
【００１８】
前記下部リフレクタ２２は、左右方向の両側の各一部領域にそれぞれ配置された２つの両側領域２２ｓと、ランプ光軸Ｌｘの直下に沿って位置される１つの中央領域２２ｃと、前記中央領域２２ｃの両側において前記２つの両側領域２２ｓに挟まれた中間領域２２ｍとに区分されており、これら３つの領域の反射面が一体化されて１つの下部リフレクタ２２として構成されている。そして、図４（ｂ）に示すように、前記両側領域２２ｓと中央領域２２ｃはいずれもそれぞれの第２焦点を共通とし、これは前記上部リフレクタ２１の第２焦点とも共通しているが、その一方で両側領域２２ｓでは第１焦点を放電バルブ１１の発光領域Ｓの後端部Ｆ１ｒに位置決めし、中央領域２２ｃでは第１焦点を発光領域Ｓの前端部Ｆ１ｆに位置決めしている。また、中間領域２２ｍは両側領域２２ｓと中央領域２２ｃの各回転楕円面の形状を緩やかに連続するように回転楕円面を一部崩した連続曲面で構成されている。換言すれば、中間領域２２ｍの面形状は、発光領域Ｓの前端部Ｆ１ｆから後端部Ｆ１ｒに沿って第２焦点を共通にする一方で第１焦点が徐々に相違して行く複数の回転楕円面を連ねた構成とされている。
【００１９】
このように構成されたヘッドランプＨＬでは、図５に示すように、放電バルブ１の発光領域Ｓから出射した光はリフレタク２の上部リフレクタ２１と下部リフレクタ２２においてそれぞれ反射され、第２焦点Ｆ２に集光され、さらにレンズ３を透過して自動車の前方に向けて照射される。上部リフレクタ２１においては、放電バルブ１の発光領域Ｓから出射された光のうち、後端部Ｆ１ｒから出射した光は反射されて第２焦点Ｆ２に集光され、中央部ないし前端部Ｆ１ｆから出射した光は反射されて第２焦点Ｆ２よりも下方の領域に集光されることになる。これらの光はレンズ３によって前方に照射されるが、図６（ａ）に上部リフレクタ２１による配光を示すように、発光領域Ｓの後端部Ｆ１ｒの光度の高い光が第２焦点Ｆ２に集光されるためランプ光軸Ｌｘを含む領域およびその近傍領域は高い光度で照射され、第２焦点Ｆ２よりも下方の領域に集光された相対的に光度の低い光は配光水平線Ｈよりも下側の領域でかつ左右の広い領域に照射される。
【００２０】
下部リフレクタ２２においては、放電バルブ１の発光領域Ｓから出射された光のうち、後端部Ｆ１ｒから出射した高光度の光は両側領域２２ｓにおいて反射されて第２焦点Ｆ２に集光される。また、発光領域Ｓの前端部Ｆ１ｆから出射した相対的に光度の低い光は中央領域２２ｃにおいて反射されて第２焦点Ｆ２に集光される。発光領域Ｓの前端部Ｆ１ｆと後端部Ｆ１ｒの間の中央部から出射したさらに光度の低い光は中間領域２２ｍで反射されて第２焦点Ｆ２に集光される。これら第２焦点Ｆ２に集光された光はレンズ３を通して前方に照射される。図７（ａ），（ｂ），（ｃ）は両側領域２２ｓ、中間領域２２ｍ，中央領域２２ｃでそれぞれ反射した光による配光を示す。両側領域２２ｓでは発光領域Ｓの後端部Ｆ１ｒから出射した高い光度の光を左右方向に広げた状態で反射するので、図７（ａ）のように、ランプ光軸Ｌｘの左右両側の配光水平線Ｈに沿った領域を高い光度で照明する。中間領域２２ｍでは発光領域Ｓの中央部を含む低光度の光をランプ光軸Ｌｘの左右領域で反射するので、図７（ｂ）のように、ランプ光軸Ｌｘの左右の配光水平線Ｈに沿った領域を低い光度で照明する。中央領域２２ｃでは発光領域Ｓの前端部Ｆ１ｆから出射した後端部Ｆ１ｒよりも若干光度の低い光のうちランプ光軸Ｌｘの直下方向に向けられた光を反射するので、図７（ｃ）のように、ランプ光軸Ｌｘを含む領域でかつ配光水平線Ｈよりも上方の領域を高い光度で照明する。
【００２１】
したがって、下部リフレクタによれば、図７（ａ）〜（ｃ）に示した各領域で反射された光が重合されることにより、図６（ｂ）に示すような配光が得られる。この配光ではランプ光軸Ｌｘを含む領域およびそれよりも上方の領域を高い光度で照明し、ランプ光軸Ｌｘの左右については配光水平線Ｈに沿った領域をそれよりも若干低い光度で照明する配光となる。そして、図６（ａ）の上部リフレクタ２１による照明と、図６（ｂ）の下部リフレクタ２２による照明を重合することにより、ヘッドランプＨＬの全体として図６（ｃ）に示す配光が得られる。すなわち、ランプ光軸Ｌｘとそれよりも上方の領域を高い光度で照明し、ランプ光軸Ｌｘの左右の配光水平線Ｈに沿った領域をそれよりも幾分低い光度で照明し、配光水平線Ｈよりも下方の領域をさらに低い光度で照明する。換言すれば、自車の遠前方領域を高い光度で照明し、自車線および対向車線等の他車線の近前方領域をそれよりも幾分低い光度で照明し、自車の直前領域をさらに低い光度で照明することになる。したがって、放電バルブ１１の最大光度で遠前方を明るく照明することができ、また次に高い光度で自車線と他車線を明るく照明でき、その一方で自車の直前領域が過度に明るく照明されることがない好適な配光が得られる。
【００２２】
因みに下部リフレクタ２２が上部リフレクタ２１と同様に単一の回転楕円面からなる反射面として構成されているとし、下部リフレクタ２２の第１焦点を発光領域の前端部Ｆ１ｆに位置決めすると、発光領域Ｓで発光された光の全てが下部リフレクタ２２で反射された後、第２焦点Ｆ２よりも下方に集光されるため、図８（ａ）に示すようにランプ光軸Ｌｘの直下の配光水平線Ｈよりも下側領域を高い光度で照明することになる。そのため、この配光を図６（ａ）の上部リフレクタ２１の配光に重合すると図８（ｂ）の配光となり、ランプ光軸Ｌｘを含む配光水平線Ｈに沿った領域と自車の直前領域の光度が高くなる。この配光では、自車線と他車線の近前方領域の照明には好ましいが、自車の遠前方領域の照明が不十分なものになり、当該領域での視認性が低下するとともに、自車の直前領域の光度が過度になり、運転者に違和感を生じさせるとともに直前領域の高光度の光によって自身が眩惑され、その周囲領域の視認性が低下してしまう。一方、図示は省略するが、下部リフレクタ２２の第１焦点を発光領域Ｓの後端部Ｆ１ｒに位置決めすると、発光領域Ｓで発光された光の全てが第２焦点Ｆ２よりも上方に集光されるため、ランプ光軸Ｌｘを含む左右領域の全てにおいて配光水平線Ｈよりも上方領域のみを高い光度で照明するようになり、先行車や対向車を眩惑する一方で、自車線や他車線の近前方領域や自車の直前領域の照明が不十分なものになり、視認性が低下してしまう。
【００２３】
以上の実施形態１では、下部リフレクタ２２を両側領域２２ｓ、中央領域２２ｃ、中間領域２２ｍに区分した構成としているが、要求される配光に応じてこれらの領域を適宜省略することが可能である。例えば、ランプ光軸Ｌｘの近傍領域の配光に重点をおく場合には下部リフレクタ２２に中央領域２２ｃをのみ区分し、この中央領域２２ｃの第１焦点を放電バルブ１の発光領域Ｓの後端部Ｆ１ｒに位置決めし、他の領域は発光領域Ｓの前端部Ｆ１ｆに位置決めすればよい。また、ランプ光軸Ｌｘの左右領域の配光に重点をおく場合には下部リフレクタ２２に両側領域２２ｓのみを区分し、この両側領域２２ｓの第１焦点を発光領域Ｓの前端部Ｆ１ｆに位置決めし、他の領域は発光領域Ｓの後端部Ｆ１ｒに位置決めすればよい。
【００２４】
また、要求される配光に応じて下部リフレクタ２２の区分の形態を変更することも可能である。例えば、中央領域２２ｃはランプ光軸Ｌｘを挟んだ２つの独立した中央領域として構成し、各中央領域の軸方向を左右の異なる方向に向くように設定することにより中央領域での照明範囲を左右に拡大させる構成とすることが可能である。また、両側領域２２ｍは各下側縁をランプ光軸Ｌｘに向けて、すなわち中央に向けて延長するようにし、両側領域２２ｍによる照明範囲を上下方向に拡大させるようにしてもよい。さらには、必要に応じて下部リフレクタ２２を実施形態１よりも多くの領域に区分し、それぞれの領域の第１焦点を光源の異なる発光光度の部位に位置決めするようにしてもよい。
【００２５】
実施形態１では本発明をハイビーム配光のヘッドランプとして適用しているが、第２焦点の近傍位置に遮光用のシェードを設けたロービーム配光のヘッドランプとして構成することも可能である。また、ヘッドランプに限らず、フォグランプや昼間点灯用のデイタイムランニングランプに適用することも可能である。さらに、本発明を適用するランプの種類よっては、上部リフレクタあるいは上部リフレクタと下部リフレクタをそれぞれ複数の領域に区分し、各領域の第１焦点を光源の異なる発光光度の部位に位置決めするようにしてもよい。
【００２６】
また、本発明は実施形態１のようなプロジェクタ型の灯具に限られるものではない。特に、リフレクタは実施形態１のような回転楕円形状に限られることはなく、光学的な焦点を有するリフレクタであれば、例えば単一の焦点を有する回転放物面形状のリフレクタを採用することも可能であり、この種のリフレクタを有するいわゆる反射型の灯具についても本発明を同様に適用することが可能である。さらに、本発明は光源の発光領域においてランプ光軸方向に光度の偏りがある光源であれば、光源を放電バルブで構成した車両用灯具に限られるものではない。例えば、複数の発光素子を光源する灯具において、これら複数の発光素子の発光光度が異なってランプ光軸方向に光度の偏りが生じているような場合には本発明を同様に適用することが可能である。
【産業上の利用可能性】
【００２７】
本発明は発光領域においてランプ光軸方向に沿って光度が偏った光度分布を有する放電バルブ、あるいはこのような光度分布を有する光源を用い、光源から出射した光をリフレクタで反射して車両の前方に向けて照射する構成の車両用灯具に採用することが可能である。
【符号の説明】
【００２８】
１  放電バルブ
２  リフレクタ
３  レンズ
４  スペーサ
１１放電チューブ
１２ｆ，１２ｒ  電極
２１  上部リフレクタ
２２  下部リフレクタ
２２ｓ  両側領域
２２ｃ  中央領域
２２ｍ  中間領域
Ｓ  発光領域
Ｆ１ｆ  前端部（第１焦点位置）
Ｆ１ｒ  後端部（第１焦点位置）
Ｆ２  第２焦点位置
【図１】
2011040252.tif 000003
【図２】
2011040252.tif 000004
【図３】
2011040252.tif 000005
【図４】
2011040252.tif 000006
【図５】
2011040252.tif 000007
【図６】
2011040252.tif 000008
【図７】
2011040252.tif 000009
【図８】
2011040252.tif 000010